(57)【要約】【課題】滑走スポーツ用床面の施工を能率的に、しかも、安全に行うことが可能な滑走スポーツ用床面構造を提供する。【解決手段】滑走表面材５が載置される矩形状の複数枚の合板１，１各々を下方から支持する複数のサポート具２，２を備え、サポート具２は、設置面Ｇに当接する当接盤部25と、当接盤部25から上方突出状に設けられた雄ネジ軸部22ａと、雄ネジ軸部22ａが螺合するネジ孔部23ａが貫設されると共に、合板１の裏面１ｂに当接する支持用板片23と、を備え、雄ネジ軸部22ａは、上端面に、作業工具Ｋの先端係合部Ｋｄが係合可能な工具用係合部22ｃを有し、合板１は、雄ネジ軸部22ａが下方から差込まれる貫通孔11を有し、設置面Ｇにサポート具２を介して合板１を敷設した仮敷設状態において、貫通孔11に上方から挿入された先端係合部Ｋｄが工具用係合部22ｃに係合した作業工具Ｋによる雄ネジ軸部22ａの回転によって、支持用板片23が螺進退して合板１を水平面に微調整可能に構成した。【選択図】図６
2020081433.tif 000002
【特許請求の範囲】
【請求項１】
滑走表面材（５）が載置される矩形状の複数枚の合板（１）（１）各々を下方から支持する複数のサポート具（２）（２）を備え、
上記サポート具（２）は、設置面（Ｇ）に当接する当接盤部（25）と、該当接盤部（25）から上方突出状に設けられた雄ネジ軸部（22ａ）と、上記雄ネジ軸部（22ａ）が螺合するネジ孔部（23ａ）が貫設されると共に、上記合板（１）の裏面（１ｂ）に当接する支持用板片（23）と、を備え、
上記雄ネジ軸部（22ａ）は、上端面に、作業工具（Ｋ）の先端係合部（Ｋｄ）が係合可能な工具用係合部（22ｃ）を有し、
上記合板（１）は、上記雄ネジ軸部（22ａ）が下方から差込まれる貫通孔（11）を有し、
上記設置面（Ｇ）に上記サポート具（２）を介して上記合板（１）を敷設した仮敷設状態において、上記貫通孔（11）に上方から挿入された上記先端係合部（Ｋｄ）が上記工具用係合部（22ｃ）に係合した上記作業工具（Ｋ）による上記雄ネジ軸部（22ａ）の回転によって、上記支持用板片（23）が螺進退して上記合板（１）を水平面に微調整可能に構成したことを特徴とする滑走スポーツ用床面構造。
【請求項２】
上記当接盤部（25）は、上記雄ネジ軸部（22ａ）と一体に連設されるボルト頭部（22ｂ）と、該ボルト頭部（22ｂ）に包囲状に取着して上記設置面（Ｇ）に当接する外嵌部材（21）と、から成り、
上記ボルト頭部（22ｂ）は、上記外嵌部材（21）に対してボルト軸心（Ｌ）廻りに回転自在に設けている請求項１記載の滑走スポーツ用床面構造。
【請求項３】
上記滑走表面材（５）は、上記合板（１）の表て面（１ａ）に、ネジ（61）にて着脱自在に取着されている請求項１又は２記載の滑走スポーツ用床面構造。
【発明の詳細な説明】
【技術分野】
【０００１】
本発明は、滑走スポーツ用床面構造に関する。
【背景技術】
【０００２】
従来、スケートボードやＢＭＸ（モトクロス自転車）等の滑走スポーツを行う床面を形成するための滑走スポーツ用床面構造は、複数のコンクリートブロック（プレキャストコンクリート）を敷設したものがあった（例えば、特許文献１参照）。
【先行技術文献】
【特許文献】
【０００３】
【特許文献１】特開２０００−１８６３０２号公報
【発明の概要】
【発明が解決しようとする課題】
【０００４】
従来の滑走スポーツ用床面構造は、コンクリートブロックを敷設する設置面を、予め、整地する必要があった。また、コンクリートブロックは、１つ１つが非常に重いため、水平面形成作業（水平レベル出し作業）や移動の際に、クレーンや重機等の工事車両や、その工事車両を運転する熟練した技量をもった免許取得者（資格者）が必要であった。
つまり、従来の滑走スポーツ用床面構造は、施工が非常に困難で危険であると共に、多大な手間と時間がかかるという問題があった。
【０００５】
そこで、本発明は、滑走スポーツ用床面の施工を能率的に、しかも、安全に行うことが可能な滑走スポーツ用床面構造の提供を目的とする。
【課題を解決するための手段】
【０００６】
本発明の滑走スポーツ用床面構造は、滑走表面材が載置される矩形状の複数枚の合板各々を下方から支持する複数のサポート具を備え、上記サポート具は、設置面に当接する当接盤部と、該当接盤部から上方突出状に設けられた雄ネジ軸部と、上記雄ネジ軸部が螺合するネジ孔部が貫設されると共に、上記合板の裏面に当接する支持用板片と、を備え、上記雄ネジ軸部は、上端面に、作業工具の先端係合部が係合可能な工具用係合部を有し、上記合板は、上記雄ネジ軸部が下方から差込まれる貫通孔を有し、上記設置面に上記サポート具を介して上記合板を敷設した仮敷設状態において、上記貫通孔に上方から挿入された上記先端係合部が上記工具用係合部に係合した上記作業工具による上記雄ネジ軸部の回転によって、上記支持用板片が螺進退して上記合板を水平面に微調整可能に構成したものである。
また、上記当接盤部は、上記雄ネジ軸部と一体に連設されるボルト頭部と、該ボルト頭部に包囲状に取着して上記設置面に当接する外嵌部材と、から成り、上記ボルト頭部は、上記外嵌部材に対してボルト軸心廻りに回転自在に設けているものである。
また、上記滑走表面材は、上記合板の表て面に、ネジにて着脱自在に取着されているものである。
【発明の効果】
【０００７】
本発明によれば、整地されていない設置面であっても床面の水平面形成作業（水平レベル出し作業）を容易にかつ能率的に行うことができる。敷設や移設等の施工を、熟練した技量がなくとも、少人数で安全に行うことができる。
【図面の簡単な説明】
【０００８】
【図１】本発明の滑走スポーツ用床面構造の実施の一形態を示す断面側面図である。
【図２】滑走表面材の一例を示す図であって、（Ａ）は平面図であり、（Ｂ）は断面側面図である。
【図３】合板の一例を示す図であって、（Ａ）は平面図であり、（Ｂ）は断面側面図である。
【図４】サポート具の一例を示す図であって、（Ａ）は平面図であり、（Ｂ）は断面側面図である。
【図５】パネル部材の一例を示す平面図である。
【図６】施工工程の一例を示す断面側面図であって、（Ａ）は施工準備状態の断面側面図であり、（Ｂ）は仮敷設状態の断面側面図であり、（Ｃ）は敷設完了状態の断面側面図である。
【図７】施工工程の他例を示す断面側面図であって、（Ａ）は施工準備状態の断面側面図であり、（Ｂ）は仮敷設状態の断面側面図であり、（Ｃ）は敷設完了状態の断面側面図である。
【図８】仮敷設状態の一例を示す平面図である。
【図９】敷設完了状態の一例を示す要部平面図である。
【発明を実施するための形態】
【０００９】
以下、図示の実施形態に基づき本発明を詳説する。
本発明に係る滑走スポーツ用床面構造は、図１に示すように、地面や体育館の床等の設置面Ｇにスケートボードやローラースケート等の滑走スポーツ具Ｓが走行するための水平床面Ｑを形成するためのものであって、滑走スポーツ具Ｓが走行する複数枚の滑走表面材５，５と、複数枚の滑走表面材５，５が載置される複数枚の合板１，１と、複数枚の合板１，１各々を下方から支持する複数のサポート具２，２と、を備えている。
【００１０】
図２に示すように、滑走表面材５は、平滑面状の表て面を有する平面視矩形状の平板型である。
四つの角部夫々に、木ネジやビス等の皿頭のネジ61（図６（Ｃ）及び図７（Ｃ）参照）が差込まれる座グリ孔やストレート状孔等のネジ位置決め用孔51を形成している。ネジ位置決め用孔51は、貫孔に限らず、有底孔であっても良い。
【００１１】
滑走表面材５の材質は、紙質層と熱可塑性樹脂層を有する積層体や、電子基板等に用いられるグラスファイバー板材を積層圧縮成型したもの等自由である。また、裏面側に衝撃吸収や消音効果を得るための合成樹脂やゴム等の緩衝材層を有するものが望ましい。
また、滑走表面材５は、平面視正方形状とするのが、水平床面Ｑを様々な形状にレイアウトしやすくて好適である。
【００１２】
図３に示すように、合板１は、平面矩形状の木製であって、所定ピッチをもって複数の貫通孔11，11が形成されている。
ここで、本発明の説明を容易にするために、水平一方向を縦方向Ｘと呼び、縦方向Ｘと直交する水平他方向を横方向Ｙと、呼ぶ。
複数の貫通孔11，11は、縦方向Ｘに沿って列設されると共に、横方向Ｙに沿って列設されている。言い換えると、格子の交点位置（格子状）に配設されている。
【００１３】
図４に示すように、サポート具２は、設置面Ｇに当接するための円盤形状の当接盤部25と、当接盤部25から上方突出状に設けられた雄ネジ軸部22ａと、雄ネジ軸部22ａが螺合するネジ孔部23ａが貫設される支持用板片23と、を備えている。
【００１４】
当接盤部25は、雄ネジ軸部22ａと一体に連設されるボルト頭部22ｂと、ボルト頭部22ｂに包囲状に取着して設置面Ｇに直接に当接する外嵌部材21と、から成る。ボルト頭部22ｂを、外嵌部材21に対して鉛直状のボルト軸心Ｌ廻りに回転自在に設けている。
つまり、ボルト頭部22ｂと雄ネジ軸部22ａを有する倒立状のボルト部材22は、外嵌部材21に対して、鉛直状のボルト軸心Ｌ廻りに回転自在である。外嵌部材21の材質は、ゴム製又は樹脂製とし、ボルト部材22は、金属製とするのが望ましい。
【００１５】
さらに、ボルト部材22の雄ネジ軸部22ａは、上端面に、十字状溝（プラス溝）、一文字状溝（マイナス溝）、六角孔等の工具用係合部22ｃを有している。
なお、図示省略するが、工具用係合部22ｃは、凹設形状に限らず、六角柱状や四角柱状や非円形柱状等に凸設形状とするも良い。
【００１６】
支持用板片23は、平面視矩形状であって、ネジ孔部23ａが中央部に貫設され、ネジ孔部23ａと同軸心状に（ネジ孔部23ａの下端開口部を包囲するように）、下面から上方へ窪んだ円形状（環状）の逃がし凹部23ｄを有している。逃がし凹部23ｄは、当接盤部25が上下方向に出没可能な大きさに形成している。
支持用板片23は、平面視矩形状の木製又は樹脂製の板材27と、板材27に固着されネジ孔部23ａと逃がし凹部23ｄを有する樹脂製又は金属製の補強部材28と、で形成している。
【００１７】
ここで、施工工程と共に構造を説明する。
図５と図６（Ａ）に示すように、合板１の貫通孔11の雄ネジ軸部22ａを下方から差込み状に配設した状態で、合板１の裏面１ｂに支持用板片23の上面を当接させて、合板１と支持用板片23とを固着手段７にて固着している。固着手段７は、皿頭の木ネジや釘等の固定具70、或いは、接着材や両面テープ等の粘着具等自由である。そして、１枚の合板１に複数のサポート具２を固着してパネル部材３を形成している（施工準備状態）。
パネル部材３は、設置面Ｇがあるイベント会場や競技場、体育館等の施工現場に搬入する前に（予め）、製作しておくのが望ましい。滑走表面材５とパネル部材３（合板１及びサポート具２）は、板型であり、作業者が一人で搬送可能な大きさと重さに設定している。
【００１８】
図６（Ｂ）に示すように、当接盤部25を設置面Ｇに当接させて、設置面Ｇにサポート具２を介して合板１を敷設した（パネル部材３を敷設した）仮敷設状態とする。
仮敷設状態において、合板１の貫通孔11から、サポート具２の工具用係合部22ｃが露出しており、螺進退用の作業工具Ｋの先端係合部Ｋｄは、上方から貫通孔11に挿入して工具用係合部22ｃに係合可能である。
【００１９】
即ち、工具用係合部22ｃに係合した作業工具Ｋによるボルト軸心Ｌ廻りの回転によって、雄ネジ軸部22ａ（ボルト部材22）がボルト軸心Ｌ廻りに回転し、支持用板片23が上下方向に螺進退して、合板１の表て面（上面）１ａを、水平面に微調整可能に構成している。
また、支持用板片23が下方に移動しても、当接盤部25は、逃がし凹部23ｄに侵入するため、設置面Ｇからの合板１の表て面１ａを低く設定でき、低重心（低床構造）で安定する。
【００２０】
ここで、パネル部材３は、複数種類設けられ、その内のいくつかのパネル部材３は、図５及び図７（Ａ）に示すように、合板１の外縁18から突出した支持用板片23の一部をもって形成したラップ用の受け片部71と、合板１の外縁18近傍に支持用板片23が固着されていない裏面１ｂの一部をもって形成した平坦面状のラップ用の載置下面72と、を有している。載置下面72は、別のパネル部材３の受け片部71に対応するように設けている。
【００２１】
図７（Ａ）（Ｂ）及び図８に示すように、水平方向に隣り合うパネル部材３，３の内の一方のパネル部材３（３Ａ）は、合わせ目10を形成する外縁18から受け片部71が突出している。そして、他方のパネル部材３（３Ｂ）は、合わせ目10を形成する外縁18近傍に載置下面72を有している。
【００２２】
したがって、一方のパネル部材３Ａの当接盤部25を設置面Ｇに当接させ、一方のパネル部材３Ａの受け片部71に、他方のパネル部材３Ｂの載置下面72を載置し、木ネジやビス等の皿頭の連結用ネジ73にて、受け片部71と他方のパネル部材３Ｂとを着脱自在に取着する。なお、連結用ネジ73を差込むための連結用位置決め孔を合板１に設けるのが望ましい。また、一方のパネル部材３Ａの受け片部71と他方のパネル部材３Ｂの載置下面72とを固着用ネジや接着剤等で固着するも良い。
【００２３】
一方のパネル部材３Ａと他方のパネル部材３Ｂを連結後に、支持用板片23を上下方向に螺進退させる。
このような構成は、一方のパネル部材３Ａの合板１と他方のパネル部材３Ｂの合板１とを、合わせ面10に段差を発生させずに水平面とすることが可能となる（面合わせ作業が容易である）。
【００２４】
なお、パネル部材３，３を複数種類設けるとは、受け片部71を有していないパネル部材３、載置下面72を有していないパネル部材３、平面視長方形状かつ横方向Ｙに長い合板１を有するパネル部材３、平面視長方形状かつ縦方向Ｘに長い合板１を有するパネル部材３、平面視正方形状の合板１を有するパネル部材３等である。
【００２５】
そして、図６（Ｃ）と図７（Ｃ）に示すように、水平面となった合板１の表て面１ａに敷設された複数枚の滑走表面材５，５を敷設する。
滑走表面材５のネジ位置決め用孔51（図２参照）に木ネジやビス等の皿頭のネジ61を対応させて、合板１に滑走表面材５をネジ61にて着脱自在に取着している（敷設完了状態）。また、滑走表面材５によって合板１の貫通孔11を施蓋（目隠）している。
【００２６】
さらに、図９に示すように、ネジ61とサポート具２との縦横位置を相違させて配設している。つまり、ネジ61（ネジ位置決め用孔51）が、雄ネジ軸部22ａ（貫通孔11）と固定具70（固定具用位置決め孔）と連結用ネジ73（連結用位置決め孔）とに、平面視で重ならない（接触しない）ように各縦横位置を設定している。
【００２７】
さらに、平面視で、合板１と合板１の縦横の合わせ目10と、滑走表面材５と滑走表面材５との縦横の合わせ目50とが、直線状に重ならない（一致しない）ように、配設している（寸法設定している）。水平床面Ｑ全体の強度を強くできる。
【００２８】
また、滑走表面材５は、一辺の長さを、１０００ｍｍ以上１４００ｍｍ以下、好ましくは、１１００ｍｍ以上１３００ｍｍ以下にするのが望ましい。下限値未満であると、水平床面Ｑを形成するための滑走表面材５の枚数が多くなる。上限値を越えると、水平床面Ｑのレイアウトを様々な形状にすることが困難になる。
また、合板１は、平面視長方形状とする場合は、約９００ｍｍ×約１８００ｍｍや３尺×６尺で形成されたもの（いわゆるサブロク板）を用いるのが、入手が容易で大量生産に好適である。また、合板１は、コンクリート打設用の型枠に用いられるコンクリートパネル（いわゆるコンパネ）を用いるのが、入手が容易で好ましい。また、合板１は、厚み寸法が８ｍｍ以上１４ｍｍ以下とするのが、十分な強度が得られ施工が容易であると共に入手が容易である。また、貫通孔11（サポート具２）のピッチは、１５０ｍｍ以上４５０ｍｍ以下、好ましくは、２５０ｍｍ以上３５０ｍｍ以下とするのが好ましい。下限値未満であると、水平レベル出し作業に時間がかかる。上限値を越えると水平レベル出しが困難になる。
【００２９】
なお、滑走スポーツ具Ｓとは、図例のスケートボードに限らず、ローラースケート、インラインスケート、キックスケーター、ＢＭＸ、一輪車等である。つまり、滑走スポーツとは、スケートボード、ローラースケート、インラインスケート、キックスケーター、ＢＭＸ、一輪車等を用いた競技である。
【００３０】
なお、本発明は、設計変更可能であって、貫通孔11やネジ位置決め用孔51の数は自由である。先端係合部Ｋｄは、工具用係合部22ｃに係合して、雄ネジ軸部22ａを回転可能な形状であれば良く、十字状（プラス）凸部や一文字状（マイナス）凸部、六角柱状等の凸設形状に限らず、六角孔部や四角孔部や非円形孔部等に凸設形状とするも良い。支持用板片23は、固定具70が差込まれる固定具用位置決め孔を有するのが好ましい。また、固定具用位置決め孔及び連結用位置決め用孔は、座グリ孔やストレート孔、貫通孔、有底孔等自由である。また、滑走表面材５は、滑走スポーツに限らず、競技者が飛んだり跳ねたりして床面に負荷がかかるような（床面が痛みやすい）チアリーディングや体操等の競技用としても使用するも良い（即ち、滑走表面材５を競技床表面材５と呼んで、スポーツ用床面構造とするも良い）。
【００３１】
以上のように、本発明の滑走スポーツ用床面構造は、滑走表面材５が載置される矩形状の複数枚の合板１，１各々を下方から支持する複数のサポート具２，２を備え、上記サポート具２は、設置面Ｇに当接する当接盤部25と、該当接盤部25から上方突出状に設けられた雄ネジ軸部22ａと、上記雄ネジ軸部22ａが螺合するネジ孔部23ａが貫設されると共に、上記合板１の裏面１ｂに当接する支持用板片23と、を備え、上記雄ネジ軸部22ａは、上端面に、作業工具Ｋの先端係合部Ｋｄが係合可能な工具用係合部22ｃを有し、上記合板１は、上記雄ネジ軸部22ａが下方から差込まれる貫通孔11を有し、上記設置面Ｇに上記サポート具２を介して上記合板１を敷設した仮敷設状態において、上記貫通孔11に上方から挿入された上記先端係合部Ｋｄが上記工具用係合部22ｃに係合した上記作業工具Ｋによる上記雄ネジ軸部22ａの回転によって、上記支持用板片23が螺進退して上記合板１を水平面に微調整可能に構成したので、クレーン等の工事車両や熟練した技量がなくとも、少人数で安全に、水平床面Ｑを施工（敷設や移設）できる。水平レベル出しや面合わせを能率良く行うことができる。商品試乗会場や滑走スポーツ体験会場等のイベント会場や撤去を前提とした（仮設の）競技場において、施工（設営）及び撤収が容易で好適である。また、痛んだ滑走表面材５のみを交換でき、しかも、交換した滑走表面材５の水平レベル出し作業は不要であり、施工業者に限らず施設管理人や競技指導者等が容易に施工できるため、体育館や競技スクール等常設の競技場にも最適である。
【００３２】
また、上記当接盤部25は、上記雄ネジ軸部22ａと一体に連設されるボルト頭部22ｂと、該ボルト頭部22ｂに包囲状に取着して上記設置面Ｇに当接する外嵌部材21と、から成り、上記ボルト頭部22ｂは、上記外嵌部材21に対してボルト軸心Ｌ廻りに回転自在に設けているので、小さいトルク（軽い力）で容易に（スムーズに）雄ネジ軸部22ａを回転させることができる。設置面Ｇが体育館や室内等の床面である場合に、当接盤部25による損傷を防止できて好適である。
【００３３】
また、上記滑走表面材５は、上記合板１の表て面１ａに、ネジ61にて着脱自在に取着されているので、施工をスムーズに能率良く行うことができる。滑走表面材５のみの交換（保守・修理）を迅速に行うことができる。
【符号の説明】
【００３４】
１  合板
１ａ  表て面
１ｂ  裏面
２  サポート具
５  滑走表面材
11  貫通孔
21  外嵌部材
22ａ  雄ネジ軸部
22ｂ  ボルト頭部
22ｃ  工具用係合部
23  支持用板片
23ａ  ネジ孔部
25  当接盤部
61  ネジ
Ｇ  設置面
Ｋ  作業工具
Ｋｄ  先端係合部
Ｌ  ボルト軸心
【図１】
2020081433.tif 000003
【図２】
2020081433.tif 000004
【図３】
2020081433.tif 000005
【図４】
2020081433.tif 000006
【図５】
2020081433.tif 000007
【図６】
2020081433.tif 000008
【図７】
2020081433.tif 000009
【図８】
2020081433.tif 000010
【図９】
2020081433.tif 000011